(57)【要約】【課題】シールベルトの蛇行によりシールベルトガイド上に乗り上げたシールベルトを元の位置に矯正できるとともに、シールベルトの乗り上げ及び脱落を防止できるシールベルト装置を提供する。【解決手段】シールベルト装置のトランスファーカ２４はトランスファーカ本体２６の内部に設置された複数のガイドローラ２８，２８…によりシールベルト２０が部分的に持ち上げられる。トランスファーカ本体２６の進行方向には、押し付け手段としてアーム３２，３２…が連結部材３３，３３…を介して上下方向に摺動自在に設置されるとともに、回動自在なローラ３４, ３４…がアーム３２，３２…の先端部にシールベルト２０上面と接触した状態で設置される。また、アーム３２, ３２…の上面には調整手段であるウエイト３０が載置される。【選択図】      図２
2005255325.tif 000002
【特許請求の範囲】
【請求項１】
上部に開口部を有し、搬送物を搬送するコンベアベルトを包囲するコンベアケーシングと、前記コンベアケーシングの開口部の上面に載置され、前記コンベアベルトに沿って配置されたシールベルトと、前記シールベルトを挟んで前記開口部の両側側面に設けられた一対のシールベルトガイドと、前記シールベルトを部分的に持ち上げた状態で、前記コンベアケーシング上を前記コンベアベルトに沿って移動するトランスファーカと、から成るシールベルト装置であって、
前記トランスファーカは、
前記シールベルトを走行方向の前位置で前記コンベアケーシング側に押し付ける押し付け手段と、
前記押し付け手段の押付け力を調整する調整手段と、を備えたことを特徴とするシールベルト装置。
【請求項２】
前記押し付け手段は、アームの先端部にローラを回動自在に支持するとともに、該アームの基端部を前記トランスファーカに上下方向に摺動自在に支持して構成され、
前記調整部材は、前記ローラを介して前記シールベルトに押付け力を付与するウエイト部材、油圧シリンダ機構、電動シリンダ機構、スプリングの何れか１つであることを特徴とする請求項１に記載のシールベルト装置。
【発明の詳細な説明】
【技術分野】
【０００１】
本発明はシールベルト装置に係り、特に粉体を搬送するコンベアベルトに配設されたシールベルト装置に関する。
【背景技術】
【０００２】
従来、船舶等に積載された粉体を荷揚げする作業は、アンローダを用いて行なわれるのが一般的である。アンローダには粉体を地上に設置されたサイロへ運搬するコンベアベルトが設置されている。特許文献１及び２に開示されているように、コンベアベルトにはシールベルト装置が設けられ、主にコンベアケーシング、シールベルト、シールベルトガイド、及びトランスファーカで構成される。上部に開口部を有するコンベアケーシング内にコンベアベルトが配設されるとともに、開口部にはシールベルトガイドによって両側面を支持された状態でシールベルトが載置される。そして、シールベルト上面にはアンローダの移動にしたがってコンベアベルトに沿って走行するトランスファーカが設置される。トランスファーカは部分的にシールベルトを持ち上げて、開口部の一部を解放することにより、アンローダからの粉体がコンベアベルトに移送される。これにより、アンローダをコンベアベルトに対して移動させても、コンベアベルト上の粉体に対する防塵及び防雨を効果的に行なうことができる。
【特許文献１】特開平８−２２５１２８号公報
【発明の開示】
【発明が解決しようとする課題】
【０００３】
しかしながら、コンベアベルトは長距離であることが多く、費用の面から更新されずに長期間使用されることが多い。そのため、地盤沈下や経時変化によりコンベアベルトに高低差や曲がりが発生し、その影響でシールベルトに蛇行が発生する。このシールベルトの蛇行により、シールベルトの端がシールベルトガイド上への乗り上げるため、コンベアベルトに対する防塵及び防雨の効果が半減するという問題があった。
【０００４】
また、シールベルトが乗り上げた状態でトランスファーカを移動させると、シールベルトの端がシールベルトガイド上を乗り越してシールベルトが脱落して、コンベアベルトによる粉体の運搬に支障をきたすという問題もあった。
【０００５】
本発明はこのような事情に鑑みてなされたもので、シールベルトの蛇行によりシールベルトガイド上に乗り上げたシールベルトを元の位置に矯正できるとともに、シールベルトの乗り上げ及び脱落を防止できるシールベルト装置を提供することを目的とする。
【課題を解決するための手段】
【０００６】
請求項１に記載の発明は前記目的を達成するために、上部に開口部を有し、搬送物を搬送するコンベアベルトを包囲するコンベアケーシングと、前記コンベアケーシングの開口部の上面に載置され、前記コンベアベルトに沿って配置されたシールベルトと、前記シールベルトを挟んで前記開口部の両側側面に設けられた一対のシールベルトガイドと、前記シールベルトを部分的に持ち上げた状態で、前記コンベアケーシング上を前記コンベアベルトに沿って移動するトランスファーカと、から成るシールベルト装置であって、前記トランスファーカは、前記シールベルトを走行方向の前位置で前記コンベアケーシング側に押付ける押し付け手段と、前記押し付け手段の押付け力を調整する調整手段と、を備えたことを特徴とする。
【０００７】
本発明によれば、トランスファーカが走行してシールベルトが部分的に持ち上げられる際に、走行方向に配置された押し付け手段がシールベルトをコンベアケーシング側に押付けているので、トランスファーカで持ち上げられている以外のシールベルト部分が持ち上がることがない。これにより、シールベルトが蛇行している場合であっても、シールベルトがシールベルトガイドを乗り上げることを防止することができるとともに、シールベルトの乗り上げによってシールベルトの脱落を防止することができる。
【０００８】
また、シールベルトがシールベルトガイド上に乗り上げてしまった場合でも、押し付け手段が持ち上げるシールベルトを前位置でコンベアケーシング側に押付けるので、乗り上げたシールベルトを元の位置に矯正することができる。
【０００９】
このとき、押し付け手段によるシールベルトへの押付け力が大きすぎると、トランスファーカの走行に支障をきたす可能性がある。そこで、調整手段を設けることにより、シールベルトの乗り上げが矯正でき、しかもトランスファーカの走行に支障をきたさない荷重がシールベルトにかかるように、押し付け手段の押付け力を調整することができる。
【００１０】
請求項２に記載の発明は、請求項１に記載の押し付け手段は、アームの先端部にローラを回動自在に支持するとともに、該アームの基端部を前記トランスファーカに上下方向に摺動自在に支持して構成され、前記調整手段は、前記ローラを介して前記シールベルトに押付け力を付与するウエイト部材、油圧シリンダ機構、電動シリンダ機構、スプリングの何れか１つであることを特徴とする。
【００１１】
請求項２によれば、ローラは上下方向に摺動自在なアームによって支持されているので、ローラに押し付け力を付与する調整部材として設けられたウエイト部材、油圧シリンダ機構、スプリングの何れか１つによってアームを下方向に揺動させようとする下向き力が生じる。一方、トランスファーカが走行してシールベルトを部分的に持ち上げる際には、ローラを介してアームを上方向に揺動させようとする上向き力が生じる。したがって、ウエイト部材、油圧シリンダ機構、電動シリンダ機構、スプリングによる押付け力を調整することにより、乗り上げたシールベルトを矯正することができ、しかもトランスファーカの走行に支障をきたさないように、前記した下向き力と上向き力のバランスを取ることができる。
【発明の効果】
【００１２】
以上説明したように本発明に係るシールベルト装置によれば、コンベアベルトの歪みなどでシールベルトが蛇行しても、トランスファーカを走行させることにより、乗り上げたシールベルトを元の位置に矯正できるので、シールベルトの乗り上げや脱落を防止することができる。
【発明を実施するための最良の形態】
【００１３】
以下添付図面に従って本発明に係るシールベルト装置の好ましい実施の形態について詳説する。
【００１４】
図１は、本発明の実施の形態であるシールベルト装置１０の構成を示した斜視図である。
【００１５】
岸壁１２にはアンローダ１４が設置され、岸壁１２に接岸した船舶（図示せず）に積載された粉体を荷揚げする。アンローダ１４は、船舶に積載された粉体を荷揚げして付属するタンク１４ａに投入する垂直コンベア１４ｂと、タンク１４ａ内の粉体を岸壁１２上まで移動させる水平コンベア１４ｃを備えており、岸壁１２に設けられた走行レール１２ａ，１２ａに沿って黒色矢印方向に走行自在に設置される。
【００１６】
アンローダ１４の近傍にはコンベアベルト１６が直交する方向に配設され、粉体を備蓄するサイロ（図示せず）に連結される。コンベアベルト１６にはシールベルト装置１０が配設される。
【００１７】
シールベルト装置１０は、コンベアケーシング１８と、シールベルト２０と、シールベルトガイド２２と、トランスファーカ２４と、から構成される。
【００１８】
コンベアケーシング１８は、コンベアベルト１６の側面に対する防塵及び防雨のためにコンベアベルト１６を包囲した状態で設置され、上面に開口部を有する開口部材１８ａを備えている。
【００１９】
開口部材１８ａの上部には、シート状のシールベルト２０が配置される。シールベルト２０は、開口部材１８ａと、コンベアケーシング１８上の両側面に設置されたシールベルトガイド２２とによって、コンベアベルト１６上を水平状態で安定して支持される。
【００２０】
アンローダ１４とコンベアベルト１６とが接するシールベルト２０上にはトランスファーカ２４が設置される。トランスファーカ２４はシールベルト２０を部分的に持ち上げて空間を形成させる。また、トランスファーカ２４はアンローダ１４の移動と連動して、コンベアベルトガイド２２上に沿って移動する構造を有している。
【００２１】
図２は、トランスファーカ２４の構成を示した側面図及び上面図である。
【００２２】
同図の如く、トランスファーカ２４において、箱状を有するトランスファーカ本体２６の内部には、シールベルト２０をスムーズに持ち上げるための４つのガイドローラ２８，２８…が進行方向に対して直交な回転軸（図示せず）を介して回動自在に設置される。したがって、ガイドローラ２８，２８…によってシールベルト２０を開口部材１８ａから上方に持ち上げて、開いたスペースにアンローダ１４の水平コンベア１４ｃの片端を配することにより、水平コンベア１４ｃから搬送された粉体をコンベアベルト１６に移載することができる。
【００２３】
トランスファーカ本体２６の前方及び後方には、押し付け手段としてアーム３２，３２…及びローラ３４, ３４…が設けられている。アーム３２, ３２…は軸受３３ａ，３３ａ…及び軸３３ｂ、３３ｂから成る連結部材３３，３３…によってトランスファーカ本体２６と上下方向に摺動可能に連結される。アーム３２，３２…の先端部には、回動自在なローラ３４，３４がシールベルト２０上面と接触した状態で設置される。また、アーム３２，３２…の上面には調整手段であるウエイト３０，３０が載置される。
【００２４】
次に、上記の如く構成された本発明の実施の形態であるシールベルト装置１０の作用について説明する。
【００２５】
図３（Ａ）に示すように、シートベルト２０は開口部材１８ａ及びシールベルトガイド２２，２２によって支持されることにより、安定した状態でコンベアベルト１６の上面を覆っている。
【００２６】
しかしながら、岸壁１２などに設置される長距離のコンベアベルト１６は、長期間使用されると地盤沈下や経時変化により高低差や曲がりが発生する。そのため、コンベアベルト１６に併設されたシールベルト装置１０も又、その高低差や曲がりに従って蛇行する。そのため、アンローダ１４の移動に伴ってトランスファーカ２４を走行させると、図３（Ｂ）に示すようにシールベルト２０がシールベルトガイド２２に乗り上げる箇所が形成される。また、シールベルト２０の乗り上げをそのまま放置しておくと、図３（Ｃ）に示すようにシールベルト２０がコンベアベルト１６上に脱落したりする可能性がある。
【００２７】
このシールベルト２０の乗り上げや脱落は、コンベアベルト１６上の粉体に対する防塵及び防雨の機能を果たさないばかりでなく、トランスファーカ２４及びシールベルト２０に損傷を与えてしまう上、粉体の搬送に支障をきたすこととなる。
【００２８】
そこで、本発明のシールベルト装置１０では、トランスファーカ２４には回動自在なローラ３４，３４を備えたアーム３２，３２…が前後方向に設置されている。そのため、トランスファーカ２４が走行してシールベルト２０が部分的に持ち上げられる際に、進行方向側に配置されたローラ３４がシールベルト２０をコンベアケーシング２８側に押付けているので、トランスファーカ２４で持ち上げられている部分以外のシールベルト２０が持ち上がることがない。これにより、シールベルト２０が蛇行している場合であっても、トランスファーカ２４の走行によってシールベルト２０がシールベルトガイド２２を乗り上げることを防止することができる。
【００２９】
また、シールベルト２０がシールベルトガイド２２上に乗り上げてしまった場合でも、トランスファーカ２４の後位置に配置されたローラ３４が持ち上げたシールベルト２０をコンベアケーシング１８側に押付けるので、乗り上げたシールベルト２０を元の開口部材１８ａの上面に位置を矯正することができる。
【００３０】
したがって、シールベルト２０が乗り上げることを防止するとともに、乗り上げたシールベルト２０を矯正できるので、シールベルト２０がコンベアベルト１６上に脱落するを防止できる。
【００３１】
このとき、アーム３２，３２…は連結部材３３，３３によって上下方向に摺動自在に設置されているため、トランスファーカ２４が走行してシールベルト２０を部分的に持ち上げる際には、ローラ３４，３４を介してアーム３２，３２…を上方向に揺動させようとする上向き力が生じる。そこで、アーム３２，３２…の上面にウエイト３０，３０を設置することにより、アーム３２，３２…を介してローラ３４，３４に下方向への押付け力が付与されて、アームを下方向に揺動させようとする下向き力が生じる。これにより、ローラ３４，３４がシールベルト２０を押付けることができる。
【００３２】
しかしながら、ウエイト３０，３０による荷重が大きすぎると、トランスファーカ２４の走行に支障をきたすという問題が生じる。そこで、乗り上げたシールベルトの矯正や防止を行なうことができ、しかもトランスファーカ２４の走行に支障をきたさないように、アーム３２，３２…に設置するウエイト３０，３０の重量を調整することにより、アーム３２，３２…にかかる下向き力と上向き力のバランスを取るようにした。これにより、ローラ３４，３４が適切な荷重でシールベルト２０をコンベアケーシング１８側へ押付けることができる。
【００３３】
また、本発明のシールベルト装置１０は、特に複雑な装置及び部材を用いることなく、乗り上げたシールベルト２０の矯正や、シールベルト２０の乗り上げ及び脱落を防止できるので、必要とされるコストを大幅に抑えることができる。その上、トランスファーカ本体２６へのアーム３２，３２…、ローラ３４，３４、及びウエイト３０の取り付けは短時間で行なうことができるので、粉体の荷揚げ作業を支障をきたすことなく、本発明のシールベルト装置１０を採用することができる。  
【００３４】
なお、上述したシールベルト装置１０において、各部材及び装置の個数、形状、材質などは特に限定するものではない。シールベルト装置１０において、トランスファーカ２０の前後にアーム３２，３２…、ローラ３４，３４、及びウエイト３０，３０…を設けたが、特に限定するものではない。トランスファーカ２４の走行方向が一方であれば、片側のみに設置すればよい。
【００３５】
また、調整手段としてウエイト３０，３０…を設置したが、特に限定するものではない。調整手段として、ウエイト部材、油圧シリンダ機構、電動シリンダ機構、スプリングの何れか１つを採用し、ローラ３４，３４を介してシールベルト２０に押付け力を付与できればよい。例えば、図３（Ａ）に示したように、アーム３２，３２…の上面にスプリング３６, ３６…を設ければ、調整された張力で下方に押し込むことができる。
【００３６】
さらに、押し付け手段としてトランスファーカ本体２６にアーム３２，３２…及びローラ３４，３４を設置したが、特に限定するものではない。下方に設けられたガイドローラ２８，２８に不図示のダンパーを設置して、シールベルト２０を下方向へ持ち上げるようにしてもよい。また、ローラ３４，３４も図２で示した形状に限定するものではなく、図３（Ｂ）に示すように、複数の車輪３８, ３８…を連ねたものをローラ３４，３４として使用してもよい。
【図面の簡単な説明】
【００３７】
【図１】本発明の実施の形態であるシールベルト装置の構成を示した斜視図
【図２】本発明の実施の形態であるシールベルト装置におけるトランスファーカの構成を示した側面図
【図３】本発明の実施の形態であるシールベルト装置におけるシールベルトの各状況を示した断面図
【図４】本発明の実施の形態のシールベルト装置におけるトランスファーカの変形例を示した側面図
【符号の説明】
【００３８】
１０…シールベルト装置、１２…岸壁、１２ａ…走行レール、１４…アンローダ、１４ａ…タンク、１４ｂ…垂直コンベア、１４ｃ…水平コンベア、１６…コンベアベルト、１８…コンベアケーシング、１８ａ…開口部材、２０…シールベルト、２２…シールベルトガイド、２４…トランスファーカ、２６…トランスファーカ本体、２８…ガイドローラ、３０…ウエイト、３２…アーム、３２ａ…軸受、３２ｂ…軸、３４…ローラ、３６…スプリング、３８…車輪
【図１】
2005255325.tif 000003
【図２】
2005255325.tif 000004
【図３】
2005255325.tif 000005
【図４】
2005255325.tif 000006